(57)【特許請求の範囲】
【請求項１】
洗浄水を収容する容器部と、前記容器部に連結し先端部に放水口を有するノズル部を有し、手の甲側で保持されるように構成し、
前記ノズル部に指取付けバンドが設けられ、
前記容器部及び前記ノズル部は、可撓性を有する材料を用いて形成され、
指の曲げ動作に基づき前記ノズル部を曲げた時に前記容器部に変形を生じさせて前記容器部内の洗浄水に圧力が加わるようにして前記洗浄水の放水を行い、指を元に戻す動作に基づき前記ノズル部を元に戻した時に前記容器部が元の形状に戻るようにして前記洗浄水の放水停止を行うようにしたことを特徴とする洗浄具。
【請求項２】
請求項１に記載の洗浄具において、
前記ノズル部の手の甲側と接する面が前記容器部の手の甲側と接する面の延長線上に位置するように前記容器部に連結していることを特徴とする洗浄具。
【請求項３】
請求項１または２に記載の洗浄具において、
前記ノズル部は、前記洗浄具を手に装着した際に、複数の指の第２関節を覆うように形成されていることを特徴とする洗浄具。
【請求項４】
請求項１〜３の何れかに記載の洗浄具において、
前記指取付けバンドはノズル先端部側の内径よりも容器部側の内径の方が大きく形成されていることを特徴とする洗浄具。
【請求項５】
請求項１〜４の何れかに記載の洗浄具において、
前記容器部に親指の付け根と親指以外の指の付け根との間に位置する手の甲取付けバンドが設けられ、
前記手の甲取付けバンドはノズル先端部に近いバンド端の内径よりもノズル先端部から離れているバンド端の内径の方が大きく形成されていることを特徴とする洗浄具。
【請求項６】
請求項５に記載の洗浄具において、
前記洗浄具を平面で見た場合、前記手の甲取付けバンドの中央部に重心が位置するように前記洗浄具が形成されていることを特徴とする洗浄具。
【請求項７】
請求項１〜６の何れかに記載の洗浄具において、
前記容器部は、前記ノズル部とは反対側に洗浄具底部が設けられ、前記洗浄具底部は、前記容器部の底部側にねじこむようにして設けられた底部蓋を有し、前記底部蓋の厚みが前記容器部の壁面の厚みよりも大きく形成されていることを特徴とする洗浄具。
【請求項８】
請求項７に記載の洗浄具において、
前記底部蓋に、注水口が形成されていることを特徴とする洗浄具。
【請求項９】
請求項１〜８の何れかに記載の洗浄具において、前記洗浄具を形成する材料は、シリコーンゴムであることを特徴とする洗浄具。
【請求項１０】
請求項５又は６に記載の洗浄具において、
前記手の甲取付けバンドおよび前記指取付けバンドは、前記容器部および前記ノズル部と一体に成型されていることを特徴とする洗浄具。
【請求項１１】
請求項１〜１０の何れかに記載の洗浄具において、
前記ノズル部は、手の中指に位置するように前記容器部に連結されていることを特徴とする洗浄具。
【発明の詳細な説明】
【技術分野】
【０００１】
本発明は、洗浄具に係り、特に、被介護者の身体の一部を洗浄する際に用いる洗浄水を収容する洗浄具に関する。
【背景技術】
【０００２】
介護において、被介護者の身体の一部、例えば、局所（陰部や肛門周りなど）を清潔に保つため、洗浄水を用いた洗浄を行う場合がある。被介護者の局所を洗浄する際、介護者は、局所に洗浄水をかけた後に、手袋をした手指で局所を洗い、その後、洗浄水をかけて洗い流す。このような作業は、片手で持つことが可能な洗浄水を収容した洗浄具を用いて行う。
【０００３】
従来、洗浄具としては、例えば、特許文献１に記載のものがある。また、ペットボトルの蓋に多数の穴を開けて自作したものも用いられている。何れの場合も洗浄具の胴部を握り内部の圧力を高めることにより洗浄水を噴射するようにしている。
【先行技術文献】
【特許文献】
【０００４】
【特許文献１】実公平7-21200号公報
【発明の概要】
【発明が解決しようとする課題】
【０００５】
局所を洗浄する際には、通常、一方の手で洗浄具を持って洗浄水をかけながら、他方の手で局所を洗浄する。  
しかしながら、被介護者の拘縮によって股間が開かない場合がある。また、被介護者が洗浄作業中に体動する場合がある。このような場合、一方の手で被介護者の股間を開くように押えたり、また、被介護者の体動を抑えるようにしたりして、他方の手で局所の洗浄を行う必要がある。すなわち、右手または左手のどちらか一方の手を使って、洗浄水を局所にかける作業と、局所を手で洗浄する作業の両方を行う必要がある。  
このような作業を行う場合、従来の洗浄具では、洗浄具を持って局所に洗浄水をかける作業を行った後、一旦、洗浄具を置いて、手指で局所を洗浄する作業を行い、そして、洗浄具を再び持って局所に洗浄水をかけて汚れを洗い流す作業を行うことになる。
【０００６】
洗浄水をかけながら手指で局所を洗うことができれば汚れが落ちやすくなる。また、汚れを洗い流す際に、局所を洗浄した手指で洗浄具を持つことになるため、洗浄具が汚れることも想定される。  
また、洗浄水をかけながら手指で局所を洗うことができれば、洗浄具を持ったり置いたりする作業が不要になるので、洗浄作業を手早く、また、さりげなく行うことができる。洗浄作業を手早く、また、さりげなく行うことができれば、被介護者の精神的負担も軽減できる。  
しかし、一方の手で被介護者の身体を押えるようにした場合、従来の洗浄具では、他方の手で洗浄水をかけながら同時に手指で局所を洗浄することが不可能であった。
【０００７】
本発明の目的は、片手で洗浄水をかけながら手指で局所などの身体の一部を洗浄することが可能な洗浄具を提供することにある。
【課題を解決するための手段】
【０００８】
本発明の洗浄具は、洗浄水を収容する容器部と、容器部に連結し先端部に放水口を有するノズル部を有し、手の甲側で保持されるように構成し、ノズル部に指取付けバンドが設けられ、容器部及びノズル部は、可撓性を有する材料を用いて形成され、指の曲げ動作に基づきノズル部を曲げた時に容器部に変形を生じさせて容器部内の洗浄水に圧力が加わるようにして洗浄水の放水を行い、指を元に戻す動作に基づきノズル部を元に戻した時に容器部が元の形状に戻るようにして洗浄水の放水停止を行うようにしたことを特徴とする。
【発明の効果】
【０００９】
本発明の洗浄具によれば、洗浄具が手の甲側で保持されるように構成されているので、洗浄具を保持した手でも、手のひら側の手指は自由に使え、片方の手で洗浄水をかけながら手指で局所などの身体の一部を洗浄することが可能となる。  
上記した以外の課題、構成及び効果は、以下の実施形態の説明により明らかにされる。
【図面の簡単な説明】
【００１０】
【図１】本発明の一実施例の洗浄具の上側から見た斜視図。
【図２】本発明の一実施例の洗浄具の下側から見た斜視図。
【図３】本発明の一実施例の洗浄具のノズル先端部側から見た図。
【図４】本発明の一実施例の洗浄具の底部側から見た図。
【図５】図３におけるＶ−Ｖ線の断面図。
【図６】本発明の一実施例の洗浄具のノズル先端部の拡大図。
【図７】本発明の一実施例の洗浄具を手に装着した様子を示す図。
【図８（ａ）】本発明の一実施例の洗浄具の使用方法を説明する図。
【図８（ｂ）】本発明の一実施例の洗浄具の使用方法を説明する図。
【図８（ｃ）】本発明の一実施例の洗浄具の使用方法を説明する図。
【発明を実施するための形態】
【００１１】
本発明の一実施例を説明する前に、先ず、本発明に至った経緯について少し詳しく説明する。  
上述したように、被介護者の局所などの身体の一部の洗浄作業を行う際には、片手で洗浄水をかけながら同じ手で洗浄を行えるのが望ましい。そこで、本発明者らは、従来における手のひら側で洗浄具を握るという発想を捨て、手の甲で洗浄具を保持するようにすれば、洗浄具を保持しながらでも手指で洗浄を行えるのではないかという、これまでにない新規な着想を得た。この着想を実現するためには、洗浄具を手の甲側で保持する方法と、洗浄具からの洗浄水の放水と停止を洗浄具の使用者（介護者）が行える方法を見出す必要がある。
【００１２】
先ず、洗浄具を手の甲側で保持するには洗浄具をバンドなどで手に取り付けるようにすれば良い。詳細は図面を用いて後述するが、洗浄具の本体（洗浄水を収容する容器部）を手の甲若しくは手首などに取り付けるバンドを設けることにより、洗浄具を手の甲側で保持することができる。さらに、洗浄具を手のひらで握って洗浄箇所に放水するのと違い、手の甲側で洗浄具を単に保持した場合には、洗浄具からの放水を使用者が意図するところかけるのは容易ではない。そこで、本発明者らは、洗浄具に放水口を有するノズル部を設け、そして、このノズル部を指に取り付けるためのバンドを設けることにより、洗浄具からの放水を使用者が意図するところに容易にかけることができるようにした。すなわち、放水したい箇所に指先を向けることにより、使用者が意図するところに容易に放水することができる。
【００１３】
洗浄具からの放水と停止を洗浄具の使用者がコントロールするには、洗浄具内の洗浄水に圧力が加わるようにする必要がある。なお、洗浄具を傾けて重力で放水させるようにすることも考えられるが、洗浄具を倒したり、洗浄作業中に意図しないで傾けたりした際に、意図しない放水が生じる場合があり得るので、洗浄具に圧力を加えて放水させる構成が望ましい。  
洗浄具内の洗浄水に圧力を加えるには、洗浄具にホースを取り付け、洗浄水を収容する容器部の外部から洗浄水を供給したり、容器部の外部から空気を供給したりするようにし、容器部の外部の操作を介護者の足などで制御することも考えられる。この場合、手の甲側で洗浄具を保持して洗浄作業を行えるという点では、本発明の原理の範囲内ではあるが、ホースが洗浄作業を含めて介護作業に邪魔になったり、また、洗浄具全体の構成が複雑になったりするので、改善する余地がある。そこで、本発明者らは、ホースなどの装置を用いることなく、手の動作に基づき洗浄具からの放水と停止を行えないか検討した。そして、手の指の動作、具体的には手の指の曲げ動作と曲げを元に戻す動作で洗浄具からの放水と停止を行う方法を見出した。すなわち、手の指の曲げ動作を行うことにより、洗浄水を収容する容器部の変形を生じさせ、この変形に基づき容器部内の洗浄水に圧力が加わるようにすることが可能となり、洗浄水の放水を行うことができる。また、放水を停止するには、手の指を元に戻すようにすれば良い。このような放水と停止を行うために、本発明では、ノズル部と容器部を指の曲げ動作が可能となるように可撓性を有する材料を用いて形成している。これらの点については以下の説明において詳しく説明する。
【００１４】
以下、図面を用いて本発明の実施例を説明する。  
図１及び図２は、それぞれ本発明の一実施例の洗浄具の斜視図であり、図１は上側から見た斜視図、図２は下側から見た斜視図を示す。また、図３は図１の洗浄具のノズル先端部側から見た図を示し、図４は図１の洗浄具の底部側から見た図を示し、図５は図３におけるＶ−Ｖ線の断面図を示す。
【００１５】
洗浄具１は、湯水などの洗浄水を収容する容器部２と、容器部２に連結するノズル部３と、ノズル部３を上方に向けて洗浄具１を立てた際の底部となる洗浄具底部５と、洗浄具１を介護者などの使用者の手に取り付けるための手の甲取付けバンド６と、ノズル部３を指先に取り付けるための指取付けバンド７から構成されている。ノズル部３のノズル先端部４には放水口１２が形成されている。なお、本実施例では、洗浄具１は一体成型されているので、容器部２とノズル部３との接続部分（中間部分）は容器部２とノズル部３とに明確に区別されるものではない。
【００１６】
また、図４及び図５に示すように、洗浄具底部５には、容器部２の栓となる底部蓋８が設けられている。この底部蓋を８は容器部２の底部側にねじ込むように設けられている。本実施例では、洗浄具１は金型を用いて成型されるが、金型を用いて洗浄具を製造する際に、容器部２を密閉型形状となるように製造するのが困難である。そこで、容器部２を分割して形成して接着材を用いて分割部を接続することも考えられるが、分割部からの漏れや製造コストが上昇する可能性があるので、本実施例のように、底部蓋８を用いて容器部２の底部側を封止するのが望ましい。
【００１７】
底部蓋８には、湯水などの洗浄水を容器部２に注入するための注水口蓋９が取り付けられるようになっている。また、本実施例では、注水口は、家庭でやかんや水道蛇口などを用いて容易に注入することができるようなサイズ、例えば、１５〜２０ｍｍ程度の口径としている。なお、注水口を形成する位置は、本実施例では、底部蓋８に形成しているが、これに限定されるものではない。但し、注水口蓋９の取り付け取り外しを容易にするためには、注水口が設けられる箇所の厚みが必要である。後述のように、本実施例では、洗浄具１を自立可能なようにするために底部蓋８を厚く形成していることから、底部蓋８に注水口を設けることが望ましい。
【００１８】
洗浄具１は、使用者が手に取り付けていないときに、ノズル部３が上を向いて自立できるように構成されている。本実施例では、湯水などの洗浄水が入った状態で洗浄具１を自立させるために、洗浄具１をテーブルや床面においたときに、洗浄具底部５とテーブルや床面との接触部が平面で接するように、洗浄具底部５が形成されている。また、洗浄具１が安定して自立するように、底部蓋８を含めて洗浄具底部５が厚くなるように形成されている。ただし、底部蓋８を含めて洗浄具底部５を厚く形成しすぎると、容器部２内の洗浄水が少なくなってきたときに、洗浄具底部の重みにより容器部２の中程で洗浄具底部が手の甲から離れるように捲り上がってしまう可能性がある。図７に示すように、洗浄具１を底面または上面から見たときの洗浄具１の重心位置Ｇ（洗浄具１内に洗浄水が入っていない状態における重心位置）が甲取付けバンド６の中央部に位置するように洗浄具底部の厚みを調整することにより、洗浄具１を手の甲で安定的に保持することができる。
【００１９】
洗浄具の容器部２とノズル部３について詳しく説明する。  
本実施例では、指の曲げ動作によりノズル部３を曲げ、ノズル部３の曲げにより容器部２に変形を生じさせ、容器部２内の洗浄水に圧力が加わるようにしている。このため、指の曲げ動作により容器部２とノズル部３に変形が可能となるように可撓性を有する材料を用いて形成している。また、放水を停止するために、指の曲げを戻した際には、ノズル部３が元の形状に戻り、そして、ノズル部３が元の形状に戻ることにより容器部２が元の形状に戻るように容器部２及びノズル部３を構成する必要がある。
【００２０】
このため、本願発明者らは種々検討した結果、デユロメーター硬さ（タイプＡ）が３０〜７０程度のシリコーンゴムが適していることを見出した。硬度が３０より小さいと柔らか過ぎ、また、７０を超えると硬すぎる。好ましくは、硬度が４０〜６０程度、より好ましくは６０程度であることが望ましい。なお、本実施例では、洗浄具１を低コストで製造しやすくするために、洗浄具全体を同じ硬度のシリコーンゴムで製造している。このような硬度のシリコーンゴムで洗浄具１を構成することにより、使用者の手への取り付けにおいて、使用者に違和感を生じさせず、また、洗浄作業の際に、洗浄具１が被介護者に触れたとしても柔らかい材料で形成されているので被介護者にとっても違和感を生じせない。  
また、硬度６０程度であっても容器部２の壁面の厚さが薄いと、指の曲げを元に戻しても容器部２の形状が復元しないことも想定される。容器部の壁面の厚さは、指の曲げを戻して容器部２の形状が復元するか否かを実験などで確認しながら決める。本発明者らは、種々検討した結果、本実施例では容器部の壁面の厚さを３ｍｍ程度に形成している。このように容器部２を形成することにより、指の曲げ動作に追随して、容器部２を変形・復元させることができる。また、容器部２が変形・復元するように構成することによって、圧力をかけた場合に放水し、圧力をかけない場合に放水を停止させることができる。  
また、指の曲げ動作で曲げられるノズル部３や容器部２とノズル部３との間の中間部の面積が小さすぎると、容器部２に加えられる圧力が小さくなったり、また、曲げ動作によりノズル部３が折れ曲がり容器部２からノズル先端部４の放水口１２へ流路が極端に絞り込まれたりして、十分な量の洗浄水を放水できない可能性がある。図７に示すように、洗浄具１を手に取り付けた際に、指の第１関節（ＤＩＰ）から第３関節（ＭＰ）にあたる位置（特に指の第２関節（ＰＩＰ）付近）のノズル部３の幅（上面または下面から見た際のノズル幅）を大きくし、指を曲げた際に、ノズル部３に複数の指の背が押し当てられるようになっている。本実施例では複数の指の第２関節がノズル部３の下部壁面でカバーされるように形成されている。このようにノズル部３の幅を大きくすることによって容器部２に加えられる圧力を放水に十分なものとすることができ、また、ノズル部３が途中で折れ曲がることが抑制される。
【００２１】
容器部２の大きさは、小さなペットボトルと同程度の量の洗浄水を収容できる大きさとしている。すなわち、一回の洗浄作業で必要な洗浄水を収容できる大きさであり、本実施例では３００〜４００ｍｌ程度の洗浄水が収容できる大きさに形成している。
【００２２】
洗浄具のノズル部３は、本実施例では、ノズル部３を中指に取り付けることを想定して、洗浄具１の幅方向の略中央部からノズル部３が突出するように容器部２に連結されている。また、ノズル部３が使用者の手の指にしっかりと固定されるように、使用者の手の甲に接する容器部２の面側（取付けバンドが容器部２に取り付けられている面側）にノズル部３が連結している。言い換えれば、使用者の指に接するノズル部３の面は、使用者の手の甲に接する容器部２の面の延長線上（同一面上）となるように、ノズル部３が容器部２の連結している。  
ノズル部３は容器部２と同じ材料で形成されており、また、金型成型で容器部２と一体に形成されている。また、容器部２との接続部が滑らかになるように形成されている。ノズル部３の先端部側の大きさ（外径又は幅Ｗ１）は、図７に示すように、指の太さ（幅）と同程度若しくはそれよりも若干大きく（１５〜２５ｍｍ程度）に形成されている。すなわち、ノズル部３の先端部側の幅が指の幅よりも大幅に大きいと、洗浄箇所と指先の位置関係が見えづらくなり、洗浄作業に支障を来す可能性があるので、ノズル部３の先端部側の幅を大きくし過ぎない方が良い。また、ノズル部３の壁面の厚さ、及び、ノズル部３と容器部２を結ぶ連結部は、容器部の手の甲側部１１の壁面の厚さと同程度、すなわち、３ｍｍ程度となっている。これによりノズル部３を指の曲げ動作に追随して変形させることができ、また、指の曲げを戻したときに形状を復元させることができる。  
ノズル部３の先端、ノズル先端部４には放水口１２が形成されている。放水口１２は、放水箇所へ均等に洗浄水をかけることができ、また、容器部２に圧力をかけないで、ノズル先端部４を下に向けても洗浄水がだらだらと流れ出ないように構成することが望ましい。また、指の曲げ動作を元に戻した時に、放水量に応じて外部空気がこの放水口を通って容器部２内に流入するが、この空気流入がスムースになるような孔径であることが望ましい。放水口１２の孔径φは、これらのことを考慮して、実験などで確認しながら決める。このような観点で本発明者らが検討した結果、本実施例では、放水口１２をφ１ｍｍ〜φ１．５ｍｍ程度の孔とし、かつ、３個設ける構成としている。放水口１２の孔径が小さすぎると異物が詰まったり、また、指の曲げ動作を元に戻した際に、容器部２に外部空気が流入しにくくなり容器部２の形状が復元し難くなったりする。また、孔径が大きすぎると圧力をかけないでもノズル先端部４を下にすると洗浄水が流れ出る。そして、孔径をφ１ｍｍ〜φ１．５ｍｍに設定することから、ノズル部３の先端部側の幅を上述のように指の幅と同程度とした場合、洗浄水をかける際に、適量の洗浄水が放水されるように放水口を３個にするのが望ましい。
【００２３】
次に、手の甲取付けバンド６と手の指取付けバンド７について詳しく説明する。  
手の甲取付けバンド６と手の指取付けバンド７は、それぞれ、使用者の手の甲、手の指と接する面側に基部を有するように設けられている。このように取付けバンドを設けることにより、洗浄具１を使用者の手に取り付けた際に、容器部２やノズル部３に不必要な力が掛からないようにして、洗浄水が意図することなく放水されたり、洗浄水の流れが遮られたりすることがないようにすることができる。
【００２４】
指取付けバンド７は、本実施例では、中指に取り付けられるので、中指を想定した大きさとなっている。但し、人差し指や薬指、または、人差し指と中指、中指と薬指に取り付けるようにしても良い。使用しやすさ、指への取り付けやすさなどからすれば、中指を想定して、指取付けバンドを設けるのが望ましい。また、指取付けバンド７は、洗浄具１を手に取り付けた際に、中指の第１関節付近に位置するように設けられている。但し、これに限定されるものではないが、使用しやすさ、指への取り付けやすさなどからすれば、中指の第１関節付近に位置するように設けるのが望ましい。また、指取付けバンド７が手の指に装着させ易くなるように、本実施例では、図５に示すように、先端に行くに従って、ノズル部の壁面との間隔が小さくなるように、バンドにテーパ（傾斜面）を設けるのが望ましい。このように構成することによって、指の入口が大きく形成されるので、手の指を指取付けバンドに装着させやすくなり、また、テーパ部によって指にしっかりと固定させることができる。
【００２５】
手の甲取付けバンド６は、洗浄具１を手に取りつけた際に、親指以外の指の付け根と親指の付け根の間に位置することになる。手の甲取付けバンド６を手が大きめの人用に合せて作成した場合、手が小さめ若しくは普通の大きさの人が洗浄具１を手に取り付けた際には、ノズル先端部４から遠い側（図５や図７における右側）のバンド端が親指の付け根により止まることになる。本実施例では、洗浄具１を手に取り付けた際に、手の甲取付けバンド６が親指の付け根に位置している状態（手の甲取付けバンド６のノズル先端部４から遠い側のバンド端が親指の付け根に位置している状態）で、ノズル先端部４が中指の先端と略一致するように、手の甲取付けバンド６の容器部２への取付け位置とノズル部３の長さが調整されている。不用意にノズル先端部を洗浄箇所にぶつけてしまうことを防ぐという観点で洗浄の際に指先が少し見えるように、洗浄具１を手に取り付けた際に指先がノズル先端部により隠れないように（図７参照）、手の甲取付けバンド６の容器部２への取付け位置とノズル部３の長さを調整するのが望ましい。本発明者らの調査によれば、平均的な人の親指付け根から中指先端までの長さは１３０ｍｍ程度であるから、本実施例では、図７に示すＬを１３０ｍｍ程度となるように形成している。  
また、手の甲取付けバンド６の幅Ｗ２は、洗浄具１を手に取りつけた際に、しっかりと洗浄具１を保持できるように幅広に形成するのが望ましく、本実施例では、親指以外の指の付け根から親指の付け根までの長さ程度、例えば４０ｍｍ程度にしている。また、上述したように、洗浄水が入っていない状態における洗浄具１の平面上の重心位置Ｇが甲取付けバンド６の中央部に位置するようになっており、洗浄具１を甲取付けバンド６により手の甲に安定的に保持することができる。  
また、手の甲取付けバンド６においても、指取付けバンド７と同様に、装着させ易くなるように、本実施例では、図５に示すように、先端に行くに従って、容器部の壁面（図５における容器部２の下部壁面）との間隔が小さくなるように、手の甲取付けバンド６にテーパを設けるのが望ましい。また、本実施例では、指取付けバンド７の傾斜面の延長線上に手の甲取付けバンド６の傾斜面が位置するように構成されている。このように構成することによって、サンダルを履くように、手の甲取付けバンドに手を装着させ易くなり、また、手の取り外しもスムースに行える。特に、洗浄作業においてはゴム手袋を装着しているので、洗浄具１がシリコーンゴムで製造されている場合、バンドへの手の装着作業が難しくなるが、本実施例のようにバンドにテーパを形成しておけば手の入口が大きく形成されるので、手を手の甲取付けバンドに装着させやすくなる。また、テーパ部によって指にしっかりと固定させることができる。
【００２６】
なお、本実施例では、手の甲取付けバンド６を、親指以外の指の付け根と親指の付け根の間に位置させることを想定しているが、手首に容器部２の取付けバンドを装着することを想定して手の甲取付けバンド６を設けても良い。使用しやすさ、手への取り付けやすさなどからすれば、親指以外の指の付け根と親指の付け根の間に位置するように設けるのが望ましい。
【００２７】
また、手の甲取付けバンド６および指取付けバンド７の容器部２およびノズル部３へ取り付け箇所（基部）は、図３に示すように、それぞれのバンド内側にＲを形成するのが望ましい。本実施例では、洗浄具１は取付けバンドを含めてシリコーンゴムなどで形成される。そして、手の大きな人や手の小さな人にも同じサイズの洗浄具が用いられるようにするため、そして、手の甲や指へ装着を確実にするため、手の小さ目の人を基準として洗浄具の取付けバンドの大きさを設定することも想定される。その場合、手の大きな人が洗浄具を取り付ける際に、ある程度伸びて取付けバンドの基部に力が集中しても破断しないようにするためには、基部の内側にＲを形成するのが望ましい。また、手の甲取付けバンド６および指取付けバンド７は、容器部２、ノズル部３を成型する際に、一緒に成型され、バンドの厚みは容器部２やノズル部の壁面と同程度の厚みで形成し、破断しにくくなるように形成されている。
【００２８】
図７，図８（ａ）（ｂ）（ｃ）を用いて本実施例の洗浄具１の使用方法を説明する。  
図７は左手に洗浄具１を装着した状態を示している。また、図８（ａ）（ｂ）（ｃ）は右手に装着した状態を示している。すなわち、本実施例の洗浄具１は中指にノズル部が位置するように構成されているので、左利きの使用者、右利きの使用者のどちらにも容易に適用できる。  
図８（ａ）に示すように、洗浄具１を手に取り付け、洗浄水を放水する際には、図８（ｂ）（ｃ）に示すように、ノズル部３を取り付けた指を含めて指を折り曲げる。このようにノズル部３を曲げることにより、容器部２が変形し、容器部２内の洗浄水に圧力が加わることから、ノズル先端部４の放水口１２から洗浄水が放水される。なお、手の甲取付けバンド６が大きめに作成され、手が小さめの人が洗浄具１を取り付ける際には、親指の付け根まで手の甲取付けバンド６を押込み、洗浄具１を使用する際には、親指で手の甲取付けバンド６を押えて使用する。手の大きな人が洗浄具１を使用する際には、手の甲取付けバンド６を親指の付け根まで押し込んで装着すると、ノズル先端部４が中指の先端よりも第１関節側に位置して放水が中指の先端に当たり洗浄箇所に当たらない可能性があるので、親指の付け根まで押し込まないで、ノズル先端部４と中指の先端が略一致するように（望ましくは指先が若干見える程度に）装着して使用するのが望ましい。もちろん、いろいろなサイズの洗浄具を準備しておき、手の大きさ対応した洗浄具を用いるようにしても良い。
【００２９】
上述した本実施例によれば、手の甲側で洗浄具を持つようにしているので、手のひら側による洗浄作業が可能になる。そして、片手で洗浄具１を保持しながら、洗浄具を保持した手の指の動作で洗浄水の放水と停止を行うことができる。したがって、洗浄具１を保持したまま、洗浄具を保持した手と同じ手の手指で局所などの身体の一部を洗浄することが可能となる。洗浄水をかけながら手指で局所を洗うことができるので汚れが落ちやすくなる。また、洗浄水をかけながら手指で局所を洗うことができるので、洗浄具を持ったり置いたりする作業が不要になり、洗浄作業を手早く、また、さりげなく行うことができ、被介護者の精神的負担も軽減できる。
【００３０】
また、本実施例では、取付けバンドを洗浄具本体の容器部２と同じ材料で形成しているので、ある程度の伸びが許容され、したがって、取付けバンドに手袋をはめるような感覚で指や手に装着することができ、容易に洗浄具１を手に取り付けることができる。
【００３１】
また、本実施例の洗浄具は自立できるように構成されていることから、洗浄作業の準備などが容易になる。
【００３２】
また、本実施例では、ノズル部３を指先で固定するようにしているので、指先を洗浄したい箇所に位置させることにより、洗浄したい箇所に容易にかつ的確に洗浄水を当てることができる。
【００３３】
また、本実施例では、容器部２の厚さを手の指の曲げを元に戻した際に容器部２の形状が復元する程度ぎりぎりの厚みにしているので、手の甲で洗浄水の温度を感ずることができる。これにより、手の甲で洗浄水の温度を確かめながら、熱すぎず、また、冷たすぎず、体温（３６度）と同程度の洗浄水をあてることができ、被介護者に違和感がなく、また、優しい介護作業を提供できる。
【００３４】
また、本実施例では、洗浄具１がシリコーンゴムで形成されている。したがって、ペットボトルなどと異なり、熱湯消毒などが可能となる。局所洗浄という観点では、洗浄具が汚れる可能性があり、熱湯消毒、殺菌ができることの意義は大きい。また、洗浄具の容器部やノズル部が柔らかい材料でできているので、作業者にも要介護者にも優しい用具となっている。
【００３５】
なお、上述の説明では、被介護者への適用を前提として説明しているが、乳児にも利用できることは言うまでもない。また、洗浄具１を保持した手と同じ手で洗浄することを前提としているが、反対側の手により洗浄することを排除するものではない。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００３７】
１・・・洗浄具、２・・・容器部、３・・・ノズル部、４・・・ノズル先端部、５・・・洗浄具底部、６・・・手の甲取付けバンド、７・・・指取付けバンド、８・・・底部蓋、９・・・注水口蓋、１２・・・放水口。
【要約】
【課題】
片手で洗浄水をかけながら手指で局所などの身体の一部を洗浄することが可能な洗浄具を提供する。
【解決手段】
洗浄具１を手の甲側で保持するように構成し、指の曲げ動作で洗浄水の放水と停止を行うようにする。例えば、放水口１２を有するノズル部３と、ノズル部３に連結し洗浄水を収容する容器部２と、ノズル部３に設けられた指取付けバンド７と、容器部２に設けられた手の甲取付けバンド６とから構成し、ノズル部３と容器部２を指の曲げ動作が可能となるようにシリコーンゴムなどのような可撓性を有する材料を用いて形成する。
【選択図】  図１【図１】
0005774795.tif 000002
【図２】
0005774795.tif 000003
【図３】
0005774795.tif 000004
【図４】
0005774795.tif 000005
【図５】
0005774795.tif 000006
【図６】
0005774795.tif 000007
【図７】
0005774795.tif 000008
【図８（ａ）】
0005774795.tif 000009
【図８（ｂ）】
0005774795.tif 000010
【図８（ｃ）】
0005774795.tif 000011